(57)【特許請求の範囲】
【請求項１】
重なり領域（５）を形成するために配置され、かつクリップバンド（２）から半径方向に間隔が空けられる、第１の端部分（３）と第２の端部分（４）を有する環状の曲がったクリップバンド（２）であって、前記第１の端部分（３）と前記第２の端部分（４）は前記クリップバンド（２）の環状の曲がりに沿って円周方向に延びているクリップバンド（２）と、
少なくとも部分的に前記第１の端部分（３）と統合され、拡大された状態で前記クリップバンド（２）を固定するために構成され、配置される固定装置（６）と、
を備え、
前記固定装置（６）は、前記第１の端部分（３）から半径方向内側に曲げられた掛け金（７）と前記クリップバンド（２）の外面上に並べられた掛け金ホック（８）を備え、前記掛け金（７）が前記掛け金ホック（８）に係合しているときに、前記第１の端部分（３）は、前記掛け金ホック（８）が形成される角度範囲を少なくとも超えて、円周方向に伸びる、ばねバンドクリップ（１）。
【請求項２】
前記掛け金ホック（８）は、前記クリップバンド（２）と統合的に形成され、前記クリップバンド（２）から半径方向外側に曲げられる、請求項１に記載のばねバンドクリップ（１）。
【請求項３】
前記掛け金（７）は、前記第１の端部分（３）から離れて面して配置され、一方、前記掛け金ホック（８）は、前記第２の端部分（４）に向いている、請求項１に記載のばねバンドクリップ（１）。
【請求項４】
前記掛け金ホック（８）は、前記掛け金（７）より長い、請求項１に記載のばねバンドクリップ（１）。
【請求項５】
前記掛け金（７）は、前記掛け金ホック（８）と接触するために配置される半径方向に伸びる接触領域を有する、請求項１に記載のばねバンドクリップ（１）。
【請求項６】
前記掛け金（７）は、前記第１の端部分（３）と前記クリップバンド（２）間の距離の近似的に２分の１より大きく半径方向に伸びる、請求項１に記載のばねバンドクリップ（１）。
【請求項７】
前記掛け金ホック（８）は、前記第１の端部分（３）と前記クリップバンド（２）間に挿入可能な解放道具によって、半径方向内側に変形可能である、請求項１に記載のばねバンドクリップ（１）。
【請求項８】
請求項１に記載のばねバンドクリップ（１）の固定装置（６）を解放するための解放道具。
【請求項９】
前記掛け金ホック（８）を変形するため前記第１の端部分（３）と前記クリップバンド（２）の間に挿入されるために構成される、請求項８に記載の解放道具。
【請求項１０】
重なり領域（５）を形成するために配置された、第１の端部分（３）と第２の端部分（４）を有する環状バンド（２）を含み、前記第１の端部分（３）と前記第２の端部分（４）は前記環状バンド（２）の曲がりに沿って円周方向に延びているばねバンドクリップ（１）を動作させる方法であって、
前記環状バンド（２）を半径方向に拡大するため、前記第１の端部分（３）と前記第２の端部分（４）をお互いに向かって動かすこと、
前記環状バンドを半径方向に拡大された状態で固定するため、前記第１の端部分（３）から半径方向内側に伸びる掛け金（７）と、前記環状バンド（２）から半径方向外側に伸びる掛け金ホック（８）を噛み合わせること、
を含み、
前記掛け金（７）が前記掛け金ホック（８）に係合しているときに、前記第１の端部分（３）は、前記掛け金ホック（８）が形成される角度範囲を少なくとも超えて、円周方向に延びている方法。
【請求項１１】
少なくとも１つの前記掛け金（７）と前記掛け金ホック（８）をお互いから離れて動かすため、前記環状バンド（２）と前記第１の端部分（３）の間に道具を挿入することをさらに備え、前記環状のバンド（２）は半径方向に押される請求項１０に記載の方法。
【請求項１２】
少なくとも１つの前記掛け金（７）と前記掛け金ホック（８）をお互いから離れて動かすことをさらに備え、前記環状のバンド（２）は半径方向に押される請求項１０に記載の方法。
【発明の詳細な説明】
【技術分野】
【０００１】
本発明の実施形態は、クリップバンドから半径方向に間隔が空けて配置される、重なり領域が間に形成された第１の端部分と第２の端部分を有する曲がった環状のクリップバンドを有するばねバンドクリップに関する。
【０００２】
さらに、本発明の実施形態はこのようなばねバンドクリップを解放するための道具に関する。
【背景技術】
【０００３】
知られたばねバンドクリップは、例えばパイプ取り付けにホースを取り付けるために使用される。ばねバンドクリップはホース上で押されることを可能とするため、拡大される必要がある。ばねバンドクリップは、ホース上でそれを保持して、パイプ取り付け上で半径方向にホースを押すこの本質的な事前張力により縮小される、
【０００４】
ホースクランプは知られている。例えば、特許文献１で、正しい公称直径を有するばねバンドクリップが使用されたかどうかを、設置後、示すために役立つ印を有するばねバンドクリップが開示される。
【先行技術文献】
【特許文献】
【０００５】
【特許文献１】独国特許１０  ２００５  ０３６  ２０８  Ｂ４号公報
【発明の概要】
【発明が解決しようとする課題】
【０００６】
実際の設置の前でばねバンドクリップの要求された拡大は、しばしば問題があり、時間の消費として見られる。ばねバンドクリップの拡大はお互いに対して２つの端部分を押すことによって実行され、ばねバンドクリップの直径の増加の結果となる。拡大された状態にばねバンドクリップを保つため、お互いに関して減少された距離で２つの端部分を保持するため追加のクリップの使用は、知られている。このようなクリップは通常設置後端部分から取り除かれる。結果として、クリップの損失の危険性があり、環境の汚染の原因となる。これは、ばねバンドクリップが、移動機械との接続、および閉じこめられた空間で使用された場合、特に問題である。追加の予防措置がクリップの損失を妨げるため取られる必要がある。
【課題を解決するための手段】
【０００７】
本発明の実施形態は簡単な設置を可能とするばねバンドクリップに向いている。
【０００８】
実施形態によれば、言及されたこの型のばねバンドクリップは、第１の端部分の中に少なくとも部分的に統合された固定装置を含む。この手法の中で、固定装置はばねバンドクリップが拡大された状態のときの位置で固定されることができる。
【０００９】
従い、拡大された状態でばねバンドクリップを保持するための追加の要素は要求されない。代わりに、ばねバンドクリップは、ばねバンドクリップの製造の努力を減少させる統合された固定装置を有する。これはまた設置の間に失われる可能性のある部分がないことを意味する。さらに、閉じこめられた空間の中でばねバンドクリップの使用を可能とすることにさせる追加の空間が不要になる。固定装置の解放の後、その本質的な事前張力のため、ばねバンドクリップは自動的に縮小し、設置を完了する。
【００１０】
好ましくは、固定装置は、ばねバンドクリップの外面上に配置された第１の端部分と掛け金ホックから半径方向内側に曲がった掛け金を有する。第１の端部分から掛け金を曲げることにより、固定装置の部分は追加の要素なしに製造されることが可能である。掛け金は最初押し出され、この後それに応じて曲げられる。ばねバンドクリップの外面上に配置された掛け金ホックは、拡大された状態でばねバンドクリップを確実に保持することを可能とするため、十分な力を移動することができる。
【００１１】
掛け金ホックが、ばねバンドクリップと統合的に形成されること、およびばねバンドクリップから半径方向外側に曲げられることは特に好ましい。掛け金ホックは掛け金のように押し出され、その後曲げられる。実施形態によるばねバンドクリップの重さは、拡大された状態で保持される可能性を有していないばねバンドクリップと比較した時、増加しない。むしろ、既に存在するばねバンドクリップの材料が、固定装置を形成されるために使用される。このように、掛け金と掛け金ホックがばねバンドクリップと統合的に形成されるため、固定装置の要素の１つを失うことは不可能になる。押し出すことと曲げることは非常に安価な製造ステップを表し、この結果ばねバンドクリップの製造コストは非常に低いままになる。この結果は、ばねバンドクリップに対する低い空間要求を有する非常に簡単な設計となる。
【００１２】
好ましくは、掛け金は、第１の端部分から離れて向いて、掛け金ホックは第２の部分に向いている。このような設計は、ばねバンドクリップが例えば手動で拡大されたとき、固定要素の自動的固定を可能とする。掛け金は最初に半径方向内側に変形された掛け金ホック上を滑る。掛け金が掛け金ホックの端を超えて動くと、掛け金ホックは遊びの中に来て掛け金の戻り動作がホックによって妨げられる。むしろ、掛け金ホックの向きは、より小さい直径に戻すばねバンドクリップの特質によって働かされた力によってこれを発生させる。力は掛け金から掛け金ホックに移動される。従い、固定装置の不注意な解放が妨げられる。
【００１３】
掛け金ホックが掛け金より長く設計されることは特に好ましい。この手法で、掛け金ホックは、掛け金より高い弾性を示す。従い、掛け金のために要求された変形は掛け金ホックによって本質的に再製造される。これは必要な力を非常に良く吸収することを可能とする。
【００１４】
別の実施形態の中で、掛け金は掛け金ホックより長く設計される。従い、掛け金はより高い弾性を示す。これにより、固定の間掛け金の変形が本質的に存在する。変形力はこれによってよく吸収される。
【００１５】
好ましくは、掛け金は半径方向に伸びる掛け金ホックのため接触領域を有する。従い、ばねバンドクリップの比較的良く定義された拡大された位置がある。接触領域の位置はばねバンドクリップがどのくらい遠くまで拡大するかを決定する。
【００１６】
好ましくは、第１の端部分は、すくなくとも、留め金ホックが形成される角度範囲を超えて、周辺方向に拡張する。従い、留め金ホックは、外部影響に対して第１の端部分によって保護される。第１の端部分は必ずしも軸方向で掛け金ホックを完全に覆わない一方、これは外部影響から掛け金ホックをまだ保護することができる。このように、固定装置を有するばねバンドクリップの外部輪郭は固定装置を有しないばねバンドクリップと比較して変化しないことを達成する。これは特に多くの応用に対して好ましい。
【００１７】
好ましくは、掛け金は第１の端部分とクリップバンド間の距離のおおよそ半分を超えて半径方向に拡張する。従い、これらの間に掛け金ホックを導くため、掛け金とクリップバンド間に利用可能な十分な空間がまだ存在する。その後、掛け金ホックそれ自身は必ずしも半径方向外側に変形される必要はない。
【００１８】
好ましくは、掛け金ホックは、第１の端部分とクリップバンドの間に挿入される解放道具によって半径方向内側に変形されることができる。解放道具を使用することにより、掛け金ホックは比較的簡単な方法でクリップバンドに関して内側に押されることができる。この結果、掛け金ホックは掛け金の下を通して動くことができる。これはばねバンドクリップの直径の減少を可能とし、ばねバンドクリップの固い適合を確実にする。対応する解放道具は比較的簡単に製造することができ、任意の公称直径のホースクリップに対して一般的に使用されることができる。利用可能な解放道具を作るための費用は、従って比較的低い。
【００１９】
実施形態は上記に記載されたばねバンドクリップの固定装置を解放するための解放道具に向いている。
【００２０】
本発明の実施形態は、重なり領域を形成するために配置され、およびクリップバンドから半径方向に間隔が空けられる、第１の端部分と第２の端部分を有する環状の曲がったクリップバンドを含むばねバンドクリップに向いている。固定装置は少なくとも部分的に第１の端部分と統合され、拡大された状態でクリップバンドを固定するために構成され、配置される。
【００２１】
実施形態によれば、固定装置は第１の端部分から半径方向内側に曲げられた掛け金とクリップバンドの外面上に並べられた掛け金ホックを含むことができる。掛け金ホックはクリップバンドと統合的に形成され、クリップバンドから半径方向外側に曲げられる。さらに、掛け金は第１の端部分から離れて面して配置されることができ、一方、掛け金ホックは第２の端部分に向いている。掛け金ホックは掛け金より長い。さらに、掛け金は、掛け金ホックと接触するために配置される半径方向に伸びる接触領域を有することができる。第１の端部分は、掛け金ホックが形成される角度範囲を少なくとも超えて、円周方向に伸びる。掛け金は第１の端部分とクリップバンド間の距離の近似的に２分の１より大きく半径方向に伸びる。さらに、掛け金ホックは、第１の端部分とクリップバンド間に挿入可能な解放道具によって、半径方向内側に変形可能である。
【００２２】
本発明の実施形態は、上記に記載されたばねバンドクリップの固定装置を解放するための解放道具に向いている。
【００２３】
本発明の実施形態によれば、解放道具は掛け金ホックを変形するため第１の端部分とクリップバンドの間に挿入されるために構成される。
【００２４】
実施形態は、重なり領域を形成するために配置された、第１の端部分と第２の端部分を有する環状バンドを含むばねバンドクリップを動作させる方法に向いている。方法は、環状バンドを半径方向に拡大するため第１の端部分と第２の端部分をお互いに向かって動かすこと、および環状バンドを半径方向に拡大された状態で固定するため、第１の端部分から半径方向に伸びる掛け金と、環状バンドから半径方向に伸びる掛け金ホックを噛み合わせることを含む。
【００２５】
実施形態によれば、方法はさらに少なくとも１つの掛け金と掛け金ホックをお互いから離れて動かすため環状バンドと第１の端部分の間に道具を挿入することを含む。これにより、環状のバンドは半径方向に押される。
【００２６】
本発明のさらなる他の実施形態によれば、方法はさらに少なくとも１つの掛け金と掛け金ホックをお互いから離れて動かすことを含む。これにより、環状のバンドは半径方向に押される。
【００２７】
他の例示的実施形態と本発明の効果は、本開示と添付の図によって確かめられる。
【００２８】
本発明は、本発明の例示的実施形態の非制限例により、複数の図を参照することによって、以下の詳細な記述により記載される。図の中のいくつかを通して同じ参照番号は同じ部分を表す。
【図面の簡単な説明】
【００２９】
【図１】側面図でばねバンドクリップを示す。
【図２】ばねバンドクリップの空間表現を示す。
【図３】解放された状態で図２によるばねバンドクリップを示す。
【発明を実施するための形態】
【００３０】
ここで、詳細は例示の方法で示され、本発明の実施形態の図示的議論の目的のためのみに、本発明の原理と概念的な面をすぐに理解でき、最も効果的と信じられることを提供するために表される。このことについて、本発明の基本的理解のために必要なもの以上に、本発明のいくつかの形状が実際にどのように実装され、形成されるかを当業者に明らかにさせる、図を伴った記載以上に、本発明の構造的詳細を開示することを意図していない。
【００３１】
図１は、曲がった環状のクリップバンド２を有するばねバンドクリップ１を示す。クリップバンド２は、第１の端部分３と第２の端部分４を有し、これらは対応するクリップバンド２の曲がった端によって形成された。従い、クリップバンド２の端部分３、４は、お互いに関して半径方向に間隔が空けられる。
【００３２】
端部分３、４の間、重なり領域５が形成され、その中に、クリップバンド２の２つの層が軸方向に並んで配置される。重なり領域５は、ばねバンドクリップ１がその公称直径と見なされるとき、つまり、図の中で示された拡大された状態でないとき、増加される。従い、クリップバンド２は、ばねバンドクリップ１と一緒に半径方向に引く事前張力とともに提供される。
【００３３】
ばねバンドクリップ１のより簡単な取り付けを可能とする、ばねバンドクリップ１の拡大された状態に保つため、ばねバンドクリップ１は固定装置６とともに提供される。固定装置６はばねバンドクリップ１と統合される。つまり、これはばねバンドクリップまたはクリップバンド２と第１の端部分３の一部である。
【００３４】
固定装置６は第１の端部分３から半径方向内側に曲がった掛け金７を備える。さらに固定装置６は掛け金ホック８を備え、これはクリップバンド２の外側に曲げられる。ここで掛け金７と掛け金ホック８は柔軟に変形され、これらは負荷のない状態で図の中に示した位置を前提とする。
【００３５】
第１の端部分３と固定装置６との間の軸方向のオフセットを補償するため、掛け金７および／または掛け金ホック８は半径方向と同様に軸方向にも曲げられることができる。特に、掛け金７は、半径方向に曲げられる、軸方向に第１の端部分３までの拡張として実装または形成されることが可能である。掛け金７が、半径方向に拡張する掛け金ホック８のため、接触領域を有することは効果的である。従い、掛け金ホック８のため定まった接触領域がある。
【００３６】
掛け金７は第１の端部分３とクリップバンド２の間の距離ｌの近似的半分を超えて半径方向に拡張する。掛け金７の接触表面は掛け金ホック８と確実に噛み合うため十分大きい一方、掛け金ホック８が、固定装置６の解放のため、半径方向内側に弾性的に変形されたとき、掛け金ホック８を掛け金７とクリップバンド２の間を通過させることを可能とするまだ十分な空間が掛け金７の下にある。
【００３７】
解放道具は、掛け金ホック８上で周辺方向および／または半径方向に力を働かせ、これを半径方向内側に変形されることによって、掛け金ホック８を変形するために、従い固定装置６を解放するために提供することができる。これは固定装置６の解放を導き、ばねバンドクリップ１が縮小する。
【００３８】
図２は空間的表現でのばねバンドクリップ１を示す。図１に示されたばねバンドクリップ１の実施形態と対照的に、図２による実施形態の中で掛け金７は掛け金ホック８より長くなるように形成されている。この結果、掛け金７は掛け金ホック８より容易に変形可能である。
【００３９】
図２の表現の中のばねバンドクリップ１は、張力がかけられた状態を示され、比較的大きい内部直径を有する。第１の端部分３と第２の端部分４間の相対運動（つまりお互いから離れる）は、掛け金７が掛け金ホック８の後ろで掛けられる固定装置６によって妨げられる。スロット９はクリップバンド２の第２の端部分４を受け入れるために提供される。これによって、端部分４は減少した軸方向の幅で形成され、これはスロット９の中で受け入れられる。重なり領域５は従ってスロット９の周りに形成される。
【００４０】
掛け金７は第１の端部分３と統合され、これが掛け金ホック８と噛み合うように半径方向内側に曲げられる。
【００４１】
図３で、図２によるばねバンドクリップ１は、解放された状態で示され、固定装置６の解放後、例えば、掛け金７は解放道具の動作によって変形された後、掛け金７は掛け金ホック８上を動かされ、端部分３、４は、周辺方向にお互いに離されて動かされる。クリップバンド２の事前張力により、ばねバンドクリップ１は縮小され、図２に示された状態と比較され、減少した直径を有する。これにより、重なり領域５は増加される。
【００４２】
クリップバンド２のスロット９の中に第２の端部分４の受け入れによって、掛け金７と掛け金ホック８の両方はクリップバンド２の中に軸方向に中心が置かれる。これは非常に対称的な力の伝達の結果となる。同時に、単純な製造が可能になる。
【００４３】
クリップバンド２、端部分３、４および固定装置６を含む完全なばねバンドクリップ１は、一つの要素として例えば、スチールバンドとして作られる。固定装置６は単純に印を押すことおよび掛け金７と掛け金ホック８を曲げることによって形成される。
【００４４】
従い、製造費用は非常に低く保ったまま、拡大された状態の中で保持されることができるばねバンドクリップ１の結果となる。このばねバンドクリップ１は単純な構造を有し、低い質量で小さい空間のみを要求する。従って、簡単に取り扱うことを確実にする追加の要素を要求しない。
【００４５】
上記の例は、単に例示の目的のために提示されたものであり、本発明の制限として構成されるものではないことに注意すべきである。本発明は例示的な実施形態を参照し記載されたが、ここで用いられた言葉は、制限の言葉ではなく、記載と例示の言葉と理解すべきである。添付の請求項の範囲内で、本発明の範囲と概念から、その態様を逸脱することなく、ここで述べられたようにおよび補正によって、変形は可能である。本発明は、特定の手段、材料および形態に関して、ここで記載されたが、本発明は、ここで開示された特別なものに制限されない。むしろ、本発明は、添付された請求項の範囲内で機能的に同等な構成、方法および用途に拡張される。
【符号の説明】
【００４６】
１  ばねバンドクリップ
２  クリップバンド
３  第１の端部分
４  第２の端部分
５  重なり領域
６  固定装置
７  掛け金
８  掛け金ホック
９  スロット
【図１】
0005746133.tif 000002
【図２】
0005746133.tif 000003
【図３】
0005746133.tif 000004